(57)【要約】  本発明の実施例はチャネル測定と測定結果報告の方法及び装置を提供する。該方法は、端末装置が構成情報に基づいて許可不要の周波数帯のチャネルを測定し、前記端末装置がアイドル状態にあることと、前記端末装置がネットワーク装置へ前記許可不要の周波数帯のチャネルを測定した測定結果を送信することとを含む。ネットワーク装置が許可不要の周波数帯のチャネルを前記端末装置のセカンダリーキャリアとして構成する必要がある場合、端末装置とネットワーク装置との相互のシグナリングの数を減少し、シグナリングオーバーヘッドを削減させ、許可不要の周波数帯のチャネルのキャリアへのアクセス速度とアクセス効率を向上させることができる。
2018532289.tif 000002
【特許請求の範囲】
【請求項１】
チャネル測定と測定結果報告の方法であって、
端末装置が構成情報に基づいて許可不要の周波数帯のチャネルを測定し、前記端末装置がアイドル状態にあることと、
前記端末装置がネットワーク装置へ前記許可不要の周波数帯のチャネルを測定した測定結果を送信することとを含む、前記チャネル測定と測定結果報告の方法。
【請求項２】
前記方法は、
前記端末装置が前記ネットワーク装置から送信された前記構成情報を受信することをさらに含み、
前記構成情報に基づいて許可不要の周波数帯を測定することは、
受信された前記ネットワーク装置からの前記構成情報に基づいて前記許可不要の周波数帯のチャネルを測定することを含むことを特徴とする
請求項１に記載の方法。
【請求項３】
前記ネットワーク装置から送信された前記構成情報を受信することは、
前記ネットワーク装置から送信されたブロードキャストメッセージを受信することを含み、前記ブロードキャストメッセージが前記構成情報を含むことを特徴とする
請求項２に記載の方法。
【請求項４】
前記ブロードキャストメッセージはシステム情報ブロックＳＩＢメッセージであることを特徴とする
請求項３に記載の方法。
【請求項５】
前記ネットワーク装置から送信された前記構成情報を受信することは、
前記ネットワーク装置から送信された無線リソース制御ＲＲＣ接続解放メッセージを受信し、前記ＲＲＣ接続解放メッセージが前記構成情報を含むことと、
前記ＲＲＣ接続解放メッセージに基づき、ＲＲＣ接続を解放することとを含むことを特徴とする
請求項２に記載の方法。
【請求項６】
前記構成情報は、前記ネットワーク装置がライセンス支援アクセスＬＡＡ機能及び／又は長期進化型ＬＴＥとワイヤレスフィデリティＷｉＦｉアグリゲーション機能をサポートすることを示すことに用いられることを特徴とする
請求項２〜５のいずれか１項に記載の方法。
【請求項７】
前記構成情報は、前記許可不要の周波数帯のチャネルの周波数ポイント情報、測定周期情報、測定ウィンドウ情報と測定パラメータ情報のうちの少なくとも一つを含むことを特徴とする
請求項１〜５のいずれか１項に記載の方法。
【請求項８】
前記測定パラメータ情報は、基準信号電力ＲＳＲＰ、基準信号品質ＲＳＲＱと受信信号強度インジケータＲＳＳＩのうちの少なくとも一つを含むことを特徴とする
請求項７に記載の方法。
【請求項９】
前記ネットワーク装置へ前記許可不要の周波数帯のチャネルを測定した測定結果を送信することは、
前記ネットワーク装置へＲＲＣ接続確立リクエストメッセージ又はＲＲＣ接続確立完了メッセージを送信することを含み、前記ＲＲＣ接続確立リクエストメッセージ又は前記ＲＲＣ接続確立完了メッセージが前記測定結果を含むことを特徴とする
請求項１〜８のいずれか１項に記載の方法。
【請求項１０】
前記ネットワーク装置へ前記許可不要の周波数帯のチャネルを測定した測定結果を送信することは、
前記ネットワーク装置へ前記端末装置に前記測定結果が保存されたことを示すための第一の指示情報を送信することと、
前記ネットワーク装置から送信された第二の指示情報を受信し、前記第二の指示情報が前記測定結果を報告するように前記端末装置を指示することに用いられることと、
前記第二の指示情報に基づいて前記ネットワーク装置へ前記測定結果を送信することとを含むことを特徴とする
請求項１〜８のいずれか１項に記載の方法。
【請求項１１】
前記ネットワーク装置へ前記端末装置に前記測定結果が保存されたことを示すための第一の指示情報を送信することは、
前記ネットワーク装置へＲＲＣ接続確立リクエストメッセージを送信することを含み、前記ＲＲＣ接続確立リクエストメッセージが前記第一の指示情報を含み、
前記ネットワーク装置から送信された第二の指示情報を受信することは、
前記ネットワーク装置から送信されたＲＲＣ接続確立メッセージを受信することを含み、前記ＲＲＣ接続確立メッセージが前記第二の指示情報を含み、
前記第二の指示情報に基づいて前記ネットワーク装置へ前記測定結果を送信することは、
前記ネットワーク装置へＲＲＣ接続確立完了メッセージを送信することを含み、前記ＲＲＣ接続確立完了メッセージが前記測定結果を含むことを特徴とする
請求項１０に記載の方法。
【請求項１２】
前記ネットワーク装置へ前記端末装置に前記測定結果が保存されたことを示すための第一の指示情報を送信することは、
前記ネットワーク装置へＲＲＣ接続確立完了メッセージを送信することを含み、前記ＲＲＣ接続確立完了メッセージが前記第一の指示情報を含み、
前記ネットワーク装置から送信された第二の指示情報を受信することは、
前記ネットワーク装置から送信されたＲＲＣ再構成メッセージを受信することを含み、前記ＲＲＣ再構成メッセージが前記第二の指示情報を含み、
前記第二の指示情報に基づいて前記ネットワーク装置へ前記測定結果を送信することは、
前記ネットワーク装置へＲＲＣ再構成完了メッセージを送信することを含み、前記ＲＲＣ再構成完了メッセージが前記測定結果を含むことを特徴とする
請求項１０に記載の方法。
【請求項１３】
前記第二の指示情報に基づいて前記ネットワーク装置へ前記測定結果を送信することは、
前記ネットワーク装置へ端末装置専用メッセージを送信することを含み、前記端末装置専用メッセージが前記測定結果を含むことを特徴とする
請求項１０に記載の方法。
【請求項１４】
ネットワーク装置へ前記許可不要の周波数帯のチャネルを測定した測定結果を送信することは、
前記端末装置がサービス要求に応じてＬＡＡセカンダリーキャリア構成又はＷｉＦｉセカンダリーキャリア構成を必要とするかどうかを確定することと、
ＬＡＡセカンダリーキャリア構成又はＷｉＦｉセカンダリーキャリア構成を必要とすることを確定した場合、前記ネットワーク装置へ前記測定結果を送信することとを含むことを特徴とする
請求項１〜１３のいずれか１項に記載の方法。
【請求項１５】
チャネル測定と測定結果報告の方法であって、
ネットワーク装置が端末装置へ構成情報を送信することと、
前記ネットワーク装置が、前記端末装置がアイドル状態にある時に前記構成情報に基づいて許可不要の周波数帯のチャネルを測定した測定結果を受信することとを含む、前記チャネル測定と測定結果報告の方法。
【請求項１６】
端末装置へ構成情報を送信することは、
前記端末装置へブロードキャストメッセージを送信することを含み、前記ブロードキャストメッセージが前記構成情報を含むことを特徴とする
請求項１５に記載の方法。
【請求項１７】
前記ブロードキャストメッセージはシステム情報ブロックＳＩＢメッセージであることを特徴とする
請求項１６に記載の方法。
【請求項１８】
端末装置へ構成情報を送信することは、
前記端末装置へ無線リソース制御ＲＲＣ接続解放メッセージを送信することを含み、前記ＲＲＣ接続解放メッセージが前記構成情報を含むことを特徴とする
請求項１５に記載の方法。
【請求項１９】
前記構成情報は、前記ネットワーク装置がライセンス支援アクセスＬＡＡ機能及び／又は長期進化型ＬＴＥとワイヤレスフィデリティＷｉＦｉアグリゲーション機能をサポートすることを示すことに用いられることを特徴とする
請求項１５〜１８のいずれか１項に記載の方法。
【請求項２０】
前記構成情報は、前記許可不要の周波数帯のチャネルの周波数ポイント情報、測定周期情報、測定ウィンドウ情報と測定パラメータ情報のうちの少なくとも一つを含むことを特徴とする
請求項１５〜１８のいずれか１項に記載の方法。
【請求項２１】
前記測定パラメータ情報は、基準信号電力ＲＳＲＰ、基準信号品質ＲＳＲＱと受信信号強度インジケータＲＳＳＩのうちの少なくとも一つを含むことを特徴とする
請求項２０に記載の方法。
【請求項２２】
前記端末装置がアイドル状態にある時に前記構成情報に基づいて許可不要の周波数帯のチャネルを測定した測定結果を受信することは、
前記端末装置から送信されたＲＲＣ接続確立リクエストメッセージ又はＲＲＣ接続確立完了メッセージを受信することを含み、前記ＲＲＣ接続確立リクエストメッセージ又は前記ＲＲＣ接続確立完了メッセージが前記測定結果を含むことを特徴とする
請求項１５〜２１のいずれか１項に記載の方法。
【請求項２３】
前記端末装置がアイドル状態にある時に前記構成情報に基づいて許可不要の周波数帯のチャネルを測定した測定結果を受信することは、
前記端末装置から送信された、前記端末装置に前記測定結果が保存されたことを示すための第一の指示情報を受信することと、
前記端末装置へ第二の指示情報を送信し、前記第二の指示情報が前記測定結果を報告するように前記端末装置を指示することに用いられることと、
前記端末装置が前記第二の指示情報に基づいて送信した前記測定結果を受信することとを含むことを特徴とする
請求項１５〜２１のいずれか１項に記載の方法。
【請求項２４】
前記端末装置から送信された、前記端末装置に前記測定結果が保存されたことを示すための第一の指示情報を受信することは、
前記端末装置から送信されたＲＲＣ接続確立リクエストメッセージを受信することを含み、前記ＲＲＣ接続確立リクエストメッセージが前記第一の指示情報を含み、
前記端末装置へ第二の指示情報を送信することは、
前記端末装置へＲＲＣ接続確立メッセージを送信することを含み、前記ＲＲＣ接続確立メッセージが前記第二の指示情報を含み、
前記端末装置が前記第二の指示情報に基づいて送信した前記測定結果を受信することは、
前記端末装置から送信されたＲＲＣ接続確立完了メッセージを受信することを含み、前記ＲＲＣ接続確立完了メッセージが前記測定結果を含むことを特徴とする
請求項２３に記載の方法。
【請求項２５】
前記端末装置から送信された、前記端末装置に前記測定結果が保存されたことを示すための第一の指示情報を受信することは、
前記端末装置から送信されたＲＲＣ接続確立完了メッセージを受信することを含み、前記ＲＲＣ接続確立完了メッセージが前記第一の指示情報を含み、
前記端末装置へ第二の指示情報を送信することは、
前記端末装置へＲＲＣ再構成メッセージを送信することを含み、前記ＲＲＣ再構成メッセージが前記第二の指示情報を含み、
前記端末装置が前記第二の指示情報に基づいて送信した前記測定結果を受信することは、
前記端末装置から送信されたＲＲＣ再構成完了メッセージを受信することを含み、前記ＲＲＣ再構成完了メッセージが前記測定結果を含むことを特徴とする
請求項２３に記載の方法。
【請求項２６】
前記端末装置がアイドル状態にある前記第二の指示情報に基づいて送信した前記測定結果を受信することは、
前記端末装置から送信された端末装置専用メッセージを受信することを含み、前記端末装置専用メッセージが前記測定結果を含むことを特徴とする
請求項２５に記載の方法。
【請求項２７】
前記方法は、
前記ネットワーク装置が前記測定結果とサービス要求に応じて、前記許可不要の周波数帯のチャネルのうちの一つ又は複数のチャネルをＬＡＡセカンダリーキャリア又はＷｉＦｉセカンダリーキャリアとして構成することをさらに含むことを特徴とする
請求項１５〜２６のいずれか１項に記載の方法。
【請求項２８】
端末装置であって、
構成情報に基づいて許可不要の周波数帯のチャネルを測定するように構成され、前記端末装置がアイドル状態にある処理モジュールと、
ネットワーク装置へ前記許可不要の周波数帯のチャネルを測定した測定結果を送信するように構成される送受信モジュールとを含む、前記端末装置。
【請求項２９】
前記送受信モジュールはさらに、
前記ネットワーク装置から送信された前記構成情報を受信するように構成され、
前記処理モジュールは具体的に、
前記送受信モジュールによって受信された前記ネットワーク装置からの前記構成情報に基づいて前記許可不要の周波数帯のチャネルを測定するように構成されることを特徴とする
請求項２８に記載の端末装置。
【請求項３０】
前記送受信モジュールは具体的に、
前記ネットワーク装置から送信されたブロードキャストメッセージを受信するように構成され、前記ブロードキャストメッセージが前記構成情報を含むことを特徴とする
請求項２９に記載の端末装置。
【請求項３１】
前記ブロードキャストメッセージはシステム情報ブロックＳＩＢメッセージであることを特徴とする
請求項３０に記載の端末装置。
【請求項３２】
前記送受信モジュールは具体的に、
前記ネットワーク装置から送信された無線リソース制御ＲＲＣ接続解放メッセージを受信するように構成され、前記ＲＲＣ接続解放メッセージが前記構成情報を含み、
前記処理モジュールはさらに、
前記ＲＲＣ接続解放メッセージに基づき、ＲＲＣ接続を解放するように構成されることを特徴とする
請求項２９に記載の端末装置。
【請求項３３】
前記構成情報は、前記ネットワーク装置がライセンス支援アクセスＬＡＡ機能及び／又は長期進化型ＬＴＥとワイヤレスフィデリティＷｉＦｉアグリゲーション機能をサポートすることを示すことに用いられることを特徴とする
請求項２９〜３２のいずれか１項に記載の端末装置。
【請求項３４】
前記構成情報は、前記許可不要の周波数帯のチャネルの周波数ポイント情報、測定周期情報、測定ウィンドウ情報と測定パラメータ情報のうちの少なくとも一つを含むことを特徴とする
請求項２８〜３２のいずれか１項に記載の端末装置。
【請求項３５】
前記測定パラメータ情報は、基準信号電力ＲＳＲＰ、基準信号品質ＲＳＲＱと受信信号強度インジケータＲＳＳＩのうちの少なくとも一つを含むことを特徴とする
請求項３４に記載の端末装置。
【請求項３６】
前記送受信モジュールは具体的に、
前記ネットワーク装置へＲＲＣ接続確立リクエストメッセージ又はＲＲＣ接続確立完了メッセージを送信するように構成され、前記ＲＲＣ接続確立リクエストメッセージ又は前記ＲＲＣ接続確立完了メッセージが前記測定結果を含むことを特徴とする
請求項２８〜３５のいずれか１項に記載の端末装置。
【請求項３７】
前記送受信モジュールは具体的に、
前記ネットワーク装置へ前記端末装置に前記測定結果が保存されたことを示すための第一の指示情報を送信し、
前記ネットワーク装置から送信された第二の指示情報を受信し、前記第二の指示情報が前記測定結果を報告するように前記端末装置を指示することに用いられ、
前記第二の指示情報に基づいて前記ネットワーク装置へ前記測定結果を送信するように構成されることを特徴とする
請求項２８〜３５のいずれか１項に記載の端末装置。
【請求項３８】
前記送受信モジュールは具体的に、
前記ネットワーク装置へＲＲＣ接続確立リクエストメッセージを送信し、前記ＲＲＣ接続確立リクエストメッセージが前記第一の指示情報を含み、
前記ネットワーク装置から送信されたＲＲＣ接続確立メッセージを受信し、前記ＲＲＣ接続確立メッセージが前記第二の指示情報を含み、
前記ネットワーク装置へＲＲＣ接続確立完了メッセージを送信し、前記ＲＲＣ接続確立完了メッセージが前記測定結果を含むように構成されることを特徴とする
請求項３７に記載の方法。
【請求項３９】
前記送受信モジュールは具体的に、
前記ネットワーク装置へＲＲＣ接続確立完了メッセージを送信し、前記ＲＲＣ接続確立完了メッセージが前記第一の指示情報を含み、
前記ネットワーク装置から送信されたＲＲＣ再構成メッセージを受信し、前記ＲＲＣ再構成メッセージが前記第二の指示情報を含み、
前記ネットワーク装置へＲＲＣ再構成完了メッセージを送信し、前記ＲＲＣ再構成完了メッセージが前記測定結果を含むように構成されることを特徴とする
請求項３７に記載の端末装置。
【請求項４０】
前記送受信モジュールは具体的に、
前記ネットワーク装置へ端末装置専用メッセージを送信するように構成され、前記端末装置専用メッセージが前記測定結果を含むことを特徴とする
請求項３７に記載の端末装置。
【請求項４１】
前記処理モジュールはさらに、
サービス要求に応じてＬＡＡセカンダリーキャリア構成又はＷｉＦｉセカンダリーキャリア構成を必要とするかどうかを確定するように構成され、
前記送受信モジュールは具体的に、
前記処理モジュールがＬＡＡセカンダリーキャリア構成又はＷｉＦｉセカンダリーキャリア構成を必要とすることを確定した場合、前記ネットワーク装置へ前記測定結果を送信するように構成されることを特徴とする
請求項２８〜４０のいずれか１項に記載の端末装置。
【請求項４２】
ネットワーク装置であって、
端末装置へ構成情報を送信するように構成される送信モジュールと、
前記端末装置がアイドル状態にある時に前記構成情報に基づいて許可不要の周波数帯のチャネルを測定した測定結果を受信するように構成される受信モジュールとを含む、ネットワーク装置。
【請求項４３】
前記送信モジュールは具体的に、
前記端末装置へブロードキャストメッセージを送信するように構成され、前記ブロードキャストメッセージが前記構成情報を含むことを特徴とする
請求項４２に記載のネットワーク装置。
【請求項４４】
前記ブロードキャストメッセージはシステム情報ブロックＳＩＢメッセージであることを特徴とする
請求項４３に記載のネットワーク装置。
【請求項４５】
前記送信モジュールは具体的に、
前記端末装置へ無線リソース制御ＲＲＣ接続解放メッセージを送信するように構成され、前記ＲＲＣ接続解放メッセージが前記構成情報を含むことを特徴とする
請求項４２に記載のネットワーク装置。
【請求項４６】
前記構成情報は、前記ネットワーク装置がライセンス支援アクセスＬＡＡ機能及び／又は長期進化型ＬＴＥとワイヤレスフィデリティＷｉＦｉアグリゲーション機能をサポートすることを示すことに用いられることを特徴とする
請求項４２〜４５のいずれか１項に記載のネットワーク装置。
【請求項４７】
前記構成情報は、前記許可不要の周波数帯のチャネルの周波数ポイント情報、測定周期情報、測定ウィンドウ情報と測定パラメータ情報のうちの少なくとも一つを含むことを特徴とする
請求項４２〜４５のいずれか１項に記載のネットワーク装置。
【請求項４８】
前記測定パラメータ情報は、基準信号電力ＲＳＲＰ、基準信号品質ＲＳＲＱと受信信号強度インジケータＲＳＳＩのうちの少なくとも一つを含むことを特徴とする
請求項４７に記載のネットワーク装置。
【請求項４９】
前記受信モジュールは具体的に、
前記端末装置から送信されたＲＲＣ接続確立リクエストメッセージ又はＲＲＣ接続確立完了メッセージを受信するように構成され、前記ＲＲＣ接続確立リクエストメッセージ又は前記ＲＲＣ接続確立完了メッセージが前記測定結果を含むことを特徴とする
請求項４２〜４８のいずれか１項に記載のネットワーク装置。
【請求項５０】
前記受信モジュールは具体的に、
前記端末装置から送信された、前記端末装置に前記測定結果が保存されたことを示すための第一の指示情報を受信するように構成され、
前記送信モジュールはさらに前記端末装置へ第二の指示情報を送信するように構成され、前記第二の指示情報が前記測定結果を報告するように前記端末装置を指示することに用いられ、
前記受信モジュールはさらに具体的に前記端末装置が前記第二の指示情報に基づいて送信した前記測定結果を受信するように構成されることを特徴とする
請求項４２〜４８のいずれか１項に記載のネットワーク装置。
【請求項５１】
前記受信モジュールは具体的に、
前記端末装置から送信されたＲＲＣ接続確立リクエストメッセージを受信するように構成され、前記ＲＲＣ接続確立リクエストメッセージが前記第一の指示情報を含み、
前記送信モジュールは具体的に、
前記端末装置へＲＲＣ接続確立メッセージを送信するように構成され、前記ＲＲＣ接続確立メッセージが前記第二の指示情報を含み、
前記受信モジュールはさらに具体的に、
前記端末装置から送信されたＲＲＣ接続確立完了メッセージを受信するように構成され、前記ＲＲＣ接続確立完了メッセージが前記測定結果を含むことを特徴とする
請求項５０に記載のネットワーク装置。
【請求項５２】
前記受信モジュールは具体的に、
前記端末装置から送信されたＲＲＣ接続確立完了メッセージを受信するように構成され、前記ＲＲＣ接続確立完了メッセージが前記第一の指示情報を含み、
前記送信モジュールは具体的に、
前記端末装置へＲＲＣ再構成メッセージを送信するように構成され、前記ＲＲＣ再構成メッセージが前記第二の指示情報を含み、
前記受信モジュールはさらに具体的に、
前記端末装置から送信されたＲＲＣ再構成完了メッセージを受信するように構成され、前記ＲＲＣ再構成完了メッセージが前記測定結果を含むことを特徴とする
請求項５０に記載のネットワーク装置。
【請求項５３】
前記受信モジュールは具体的に、
前記端末装置から送信された端末装置専用メッセージを受信するように構成され、前記端末装置専用メッセージが前記測定結果を含むことを特徴とする
請求項５０に記載のネットワーク装置。
【請求項５４】
前記ネットワーク装置は、
前記測定結果とサービス要求に応じて、前記許可不要の周波数帯のチャネルのうちの一つ又は複数のチャネルをＬＡＡセカンダリーキャリア又はＷｉＦｉセカンダリーキャリアとして構成するように構成される処理モジュールをさらに含むことを特徴とする
請求項４２〜５３のいずれか１項に記載のネットワーク装置。
【発明の詳細な説明】
【技術分野】
【０００１】
本発明は通信分野に関し、具体的には、チャネル測定と測定結果報告の方法及び装置に関する。
【背景技術】
【０００２】
従来の無線セルラー通信システムにおいて、測定や報告フローはアイドル状態のセル選択、再選択、接続状態への切り替え、ネットワークの計画及び最適化に対して非常に重要な役割を果たす。主な測定量は基準信号品質（Ｒｅｆｅｒｅｎｃｅ  Ｓｉｇｎａｌ  Ｒｅｃｅｉｖｅｄ  Ｐｏｗｅｒ、「ＲＳＲＰ」と略称）と（Ｒｅｆｅｒｅｎｃｅ  Ｓｉｇｎａｌ  Ｒｅｃｅｉｖｅｄ  Ｑｕａｌｉｔｙ、「ＲＳＲＱ」と略称）を含む。アイドル状態において、端末はシステム情報によって与えられた構成によって、現在セル及び隣セルに対するＲＳＲＰとＲＳＲＱ測定結果に基づき、現在セルに滞在し続けるかどうか又は同じ周波数又は異なる周波数の隣セルに再選択する必要があるかどうかを判定し、この過程において端末が測定結果をネットワーク側に報告する必要がない。接続状態において、端末はシステム専用シグナリング構成によって、イベントトリガ又は周期的に報告される測定結果の報告を行い、ネットワーク側エンティティ（例えば基地局）は報告結果に基づいて移動状態における端末の切り替え又はキャリアアグリゲーション／二重接続が発生する場合のセカンダリーキャリア／セルの追加又は削除を行う。
【０００３】
現在、無線セルラー通信システムにおいて許可不要の周波数帯（Ｕｎｌｉｃｅｎｓｅｄ周波数帯、例えば２．４ＧＨｚ、５．８ＧＨｚ）を使用してセルラーシステム使用頻度を拡張することが考えられ、主要な手段はライセンス支援アクセス（Ｌｉｃｅｓｅ  Ａｓｓｉｓｔｅｄ  Ａｃｃｅｓｓ、「ＬＡＡ」略称）と長期進化型（Ｌｏｎｇ  Ｔｅｒｍ  Ｅｖｏｌｕｔｉｏｎ、「ＬＴＥ」略称）／ワイヤレスフィデリティ（ｗｉｒｅｌｅｓｓ  ｆｉｄｅｌｉｔｙ、「ＷｉＦｉ」と略称）アグリゲーションの２種類を含む。この２種類のアグリゲーション手段の主な特徴は、（１）アグリゲーションリソースが許可不要の周波数帯に属し、一般的な許可周波数帯の補助周波数帯のみとして使用されることと、（２）許可不要の周波数帯の使用が基地局のスケジューリングだけでなく、該周波数帯の負荷に制限され、即ち使用できるために競争的メカニズムを通過する必要があることとを含む。そのため、許可周波数帯に比べ、端末は許可不要の周波数帯をタイムリーに測定することがより好ましく、これにより許可不要の周波数帯リソースを十分に利用し、端末ができるだけ早く許可不要の周波数帯に入るようにすることができる。
【０００４】
従来の方式を採用する場合、端末が接続状態にあると、端末又はネットワークに許可不要の周波数帯伝送に適するサービス（例えばファイル伝送プロトコル（Ｆｉｌｅ  Ｔｒａｎｓｆｅｒ  Ｐｒｏｔｏｃｏｌ、「ＦＴＰ」と略称）サービス）が発生する場合、ネットワークは従来方式に従って端末を配置して許可不要の周波数帯のチャネルの測定を行い、端末は報告条件に従って報告し、ネットワークは報告結果に応じて対応する周波数帯を端末接続チャネルとして構成するかどかを決定するが、端末がアイドル状態にあり、端末又はネットワークに許可不要の周波数帯伝送に適するサービス（例えばＦＴＰサービス）が発生する場合、端末は許可周波数帯において接続状態に入り、構成されて許可不要の周波数帯の測定を行う必要があり、ネットワーク側は端末が測定して報告した後に、該許可不要の周波数帯のあるチャネルをＬＡＡセカンダリーキャリア又はＬＴＥ／ＷｉＦｉアグリゲーションにおけるＷｉＦｉキャリアとして端末に構成して使用するかどうかを決定する。
【０００５】
これによりある許可不要の周波数帯のチャネルのキャリアをＬＡＡセカンダリーキャリア又はＷｉＦｉキャリアとして構成する必要があると、端末はまず許可周波数帯にアクセスし、且つ許可周波数帯によって構成された後に測定して報告する必要があり、最終的に基地局によって端末に該チャネルキャリアを配置することが分かる。したがって、配置フローが長すぎ、ネットワーク側が構成した後に対応するキャリアチャネルの測定及び報告を行い、且つ測定や報告の遅延が大きく、特にアイドル状態の端末、又は切り替えられる端末に対して、ＬＡＡセカンダリーキャリア又はＬＴＥ／ＷｉＦｉアグリゲーションにおけるＷｉＦｉキャリアを配置する遅延が大きい。
【発明の概要】
【発明が解決しようとする課題】
【０００６】
本発明は、ネットワーク装置が許可不要の周波数帯のチャネルを該端末装置のセカンダリーキャリアとして構成する必要がある場合、端末装置とネットワーク装置との相互のシグナリングの数を減少し、シグナリングオーバーヘッドを削減させ、許可不要の周波数帯のチャネルのキャリアへのアクセス速度とアクセス効率を向上させることができる、チャネル測定と測定結果報告の方法及び装置を提供する。
【課題を解決するための手段】
【０００７】
第一の態様によるチャネル測定と測定結果報告の方法は、端末装置が構成情報に基づいて許可不要の周波数帯のチャネルを測定し、前記端末装置がアイドル状態にあることと、前記端末装置がネットワーク装置へ前記許可不要の周波数帯のチャネルを測定した測定結果を送信することとを含む。
【０００８】
第二の態様によるチャネル測定と測定結果報告の方法は、ネットワーク装置が端末装置へ構成情報を送信することと、前記ネットワーク装置が、前記端末装置がアイドル状態にある時に前記構成情報に基づいて許可不要の周波数帯のチャネルを測定した測定結果を受信することとを含む。
【０００９】
第三の態様による端末装置は、構成情報に基づいて許可不要の周波数帯のチャネルを測定するように構成され、前記端末装置がアイドル状態にある処理モジュールと、ネットワーク装置へ前記許可不要の周波数帯のチャネルを測定した測定結果を送信するように構成される送受信モジュールとを含む。
【００１０】
第四の態様によるネットワーク装置は、端末装置へ構成情報を送信するように構成される送信モジュールと、前記端末装置がアイドル状態にある時に前記構成情報に基づいて許可不要の周波数帯のチャネルを測定した測定結果を受信するように構成される受信モジュールとを含む。
【００１１】
上記技術的特徴に基づき、本発明の実施例によるチャネル測定と測定結果報告の方法及び装置では、アイドル状態にある端末装置は構成情報に基づいて許可不要の周波数帯のチャネルを測定し、且つネットワーク装置へ前記許可不要の周波数帯のチャネルを測定した測定結果を送信する。ネットワーク装置が許可不要の周波数帯のチャネルを前記端末装置のセカンダリーキャリアとして構成する必要がある場合、端末装置とネットワーク装置との相互のシグナリングの数を減少し、シグナリングオーバーヘッドを削減させ、許可不要の周波数帯のチャネルのキャリアへのアクセス速度とアクセス効率を向上させることができる。
【図面の簡単な説明】
【００１２】
【図１】本発明の実施例によるチャネル測定と測定結果報告の方法の概略的なフローチャートである。
【図２】本発明の実施例によるチャネル測定と測定結果報告の方法の別の概略的なフローチャートである。
【図３】本発明の実施例によるチャネル測定と測定結果報告の方法の別の概略的なフローチャートである。
【図４】本発明の別の実施例によるチャネル測定と測定結果報告の方法の概略的なフローチャートである。
【図５】本発明の別の実施例によるチャネル測定と測定結果報告の方法の概略的なフローチャートである。
【図６】本発明の別の実施例によるチャネル測定と測定結果報告の方法の概略的なフローチャートである。
【図７】本発明の別の実施例によるチャネル測定と測定結果報告の方法の別の概略的なフローチャートである。
【図８】本発明の別の実施例によるチャネル測定と測定結果報告の方法の別の概略的なフローチャートである。
【図９】本発明の実施例による端末装置の概略的なブロック図である。
【図１０】本発明の別の実施例による端末装置の概略的なブロック図である。
【図１１】本発明の実施例によるネットワーク装置の概略的なブロック図である。
【図１２】本発明の実施例によるネットワーク装置の別の概略的なブロック図である。
【図１３】本発明の別の実施例によるネットワーク装置の概略的なブロック図である。
【発明を実施するための形態】
【００１３】
本発明の実施例の技術的解決策をより明確に説明するために、以下に実施例又は従来技術の記述のために必要な図面を簡単に説明するが、明らかに、以下に記載する図面は本発明のいくつかの実施例だけであり、当業者であれば、創造的な労力を要することなく、これらの図面に基づいて他の図面を得ることができる。
【００１４】
以下に本発明の実施例における図面を組み合わせながら、本発明の実施例における技術的解決策を明確で、全面的に説明し、明らかに、説明した実施例は本発明の一部の実施例だけであり、全ての実施例ではない。本発明の実施例に基づき、当業者が創造的な労力を要せずに得た他の実施例は、全て本発明の保護範囲に属する。
【００１５】
理解すべきものとして、本発明の実施例における技術案は様々な通信システム、例えばグローバル移動体通信（Ｇｌｏｂａｌ  Ｓｙｓｔｅｍ  ｏｆ  Ｍｏｂｉｌｅ  Ｃｏｍｍｕｎｉｃａｔｉｏｎ、「ＧＳＭ」と略称）システム、符号分割多元接続（Ｃｏｄｅ  Ｄｉｖｉｓｉｏｎ  Ｍｕｌｔｉｐｌｅ  Ａｃｃｅｓｓ、「ＣＤＭＡ」と略称）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、「ＷＣＤＭＡ」と略称」システム、長期進化型（Ｌｏｎｇ  Ｔｅｒｍ  Ｅｖｏｌｕｔｉｏｎ、「ＬＴＥ」と略称）システム、ＬＴＥ周波数分割複信（Ｆｒｅｑｕｅｎｃｙ  Ｄｉｖｉｓｉｏｎ  Ｄｕｐｌｅｘ、「ＦＤＤ」と略称）システム、ＬＴＥ時分割複信（Ｔｉｍｅ  Ｄｉｖｉｓｉｏｎ  Ｄｕｐｌｅｘ、「ＴＤＤ」と略称）システム、ユニバーサル移動通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、「ＵＭＴＳ」と略称）、及び将来の５Ｇ通信システムなどに応用されることができる。
【００１６】
理解すべきものとして、本発明の実施例において、端末装置（Ｔｅｒｍｉｎａｌ  Ｅｑｕｉｐｍｅｎｔ）はユーザ装置、移動局（Ｍｏｂｉｌｅ  Ｓｔａｔｉｏｎ、「ＭＳ」と略称）、移動端末（Ｍｏｂｉｌｅ  Ｔｅｒｍｉｎａｌ）などと呼ばれてもよく、前記ユーザ装置は無線アクセスネットワーク（Ｒａｄｉｏ  Ａｃｃｅｓｓ  Ｎｅｔｗｏｒｋ、「ＲＡＮ」と略称）を介して一つ又は複数のコアネットワークと通信することができ、例えば、ユーザ装置は携帯電話（又は「セルラー」電話と呼ばれる）、移動端末を備えたコンピュータなどであってもよく、例えば携帯型、ポケット型、手持ち型、コンピュータ内蔵型又は車載の移動装置、及び将来の５Ｇネットワークにおける端末装置又は将来の進化したＰＬＭＮネットワークにおける端末装置などであってもよい。
【００１７】
また、理解すべきものとして、本発明の実施例において、ネットワーク装置はユーザ装置と通信するための装置であってもよく、前記ネットワーク装置はＧＳＭシステム又はＣＤＭＡにおける基地局（Ｂａｓｅ  Ｔｒａｎｓｃｅｉｖｅｒ  Ｓｔａｔｉｏｎ、「ＢＴＳ」と略称）、ＷＣＤＭＡシステムにおける基地局（ＮｏｄｅＢ、「ＮＢ」と略称）、ＬＴＥシステムにおける進化型基地局（Ｅｖｏｌｕｔｉｏｎａｌ  Ｎｏｄｅ  Ｂ、「ｅＮＢ」又は「ｅＮｏｄｅＢ」と略称）であってもよく、又は前記ネットワーク装置は中継局、アクセスポイント、車載装置、ウェアラブル装置及び将来の５Ｇネットワークにおけるネットワーク側装置又は将来の進化したＰＬＭＮネットワークにおけるネットワーク装置などであってもよい。
【００１８】
説明すべきものとして、本発明の実施例において、一般的な許可周波数帯は一つの特定のシステム又は特定のオペレータに排他的に使用される周波数帯であり、一般的な許可周波数帯は「許可周波数帯」又は「ライセンス周波数帯」と呼ばれてもよい。許可不要の周波数帯は無料で公開され、且つ異なるシステムが共有することを許可する周波数帯であり、許可不要の周波数帯は「アンライセンス周波数帯（Ｕｎｌｉｃｅｎｓｅｄ周波数帯、例えば２．４ＧＨｚ周波数帯、５．８ＧＨｚ周波数帯）と呼ばれてもよい。しかしながら、本発明の実施例の保護範囲はこの名称に限定されない。
【００１９】
本発明の実施例において、ネットワーク装置と端末装置はいずれもライセンス補助アクセス（Ｌｉｃｅｎｓｅ  Ａｓｓｉｓｔｅｄ  Ａｃｃｅｓｓ、「ＬＡＡ」と略称）及びワイヤレスフィディリティー（ｗｉｒｅｌｅｓｓ  ｆｉｄｅｌｉｔｙ、「ＷｉＦｉ」と略称）セカンダリーキャリアの追加、変更及び削除機能をサポートする。
【００２０】
図１は本発明の実施例によるチャネル測定と測定結果報告の方法の概略的なフローチャートである。前記方法は端末装置によって実行されてもよく、図１に示すように、前記方法１００は、
端末装置が構成情報に基づいて許可不要の周波数帯のチャネルを測定し、前記端末装置がアイドル状態にあるＳ１１０と、
前記端末装置がネットワーク装置へ前記許可不要の周波数帯のチャネルを測定した測定結果を送信するＳ１２０とを含む。
【００２１】
したがって、本発明の実施例において、アイドル状態にある端末装置は構成情報に基づいて許可不要の周波数帯のチャネルを測定し、且つ測定結果をネットワーク装置に報告する。したがって、ネットワーク装置が前記許可不要の周波数帯のチャネルを前記端末装置のセカンダリーキャリアとして構成する必要がある場合、端末装置とネットワーク装置との相互のシグナリングの数を減少し、シグナリングオーバーヘッドを削減させ、許可不要の周波数帯のチャネルのキャリアへのアクセス速度とアクセス効率を向上させることができる。
【００２２】
理解すべきものとして、本発明の実施例において、接続状態とは、端末装置がネットワーク装置とＲＲＣ接続を確立した状態であり、アイドル状態とは、端末装置がネットワーク装置とＲＲＣ接続を確立しない状態である。
【００２３】
また、Ｓ１１０において、前記構成情報はネットワーク装置が端末装置へ送信したものであってもよく、端末装置自体のデフォルト構成情報であってもよく、前記デフォルト構成情報は端末装置が自動的に記録した最後の構成であってもよく、端末装置の存在するセルが変化しない場合で端末装置は異なるチャネル測定過程において同じ構成を使用して測定することができる。
【００２４】
また、図２に示すように、前記方法１００は、
前記端末装置が前記ネットワーク装置から送信された前記構成情報を受信するＳ１３０をさらに含み、
これに対応して、Ｓ１１０は具体的に受信された前記ネットワーク装置から送信された前記構成情報に基づいて前記許可不要の周波数帯のチャネルを測定することである。
【００２５】
また、Ｓ１３０において、端末装置はネットワーク装置から送信されたブロードキャストメッセージを受信することができ、ブロードキャストメッセージに前記構成情報が含まれる。
【００２６】
また、前記ブロードキャストメッセージは、マスター情報ブロック（Ｍａｓｔｅｒ  Ｉｎｆｏｒｍａｔｉｏｎ  Ｂｌｏｃｋ、「ＭＩＢ」略称）に搬送されたブロードキャストメッセージであってもよく、又はＭＩＢメッセージと呼ばれる。ブロードキャストメッセージはさらにシステム情報ブロック（Ｓｙｓｔｅｍ  Ｉｎｆｏｒｍａｔｉｏｎ  Ｂｌｏｃｋ、「ＳＩＢ」略称）に搬送されたブロードキャストメッセージであってもよく、又はＳＩＢメッセージと呼ばれ、前記ブロードキャストメッセージはさらに他のブロードキャストメッセージであってもよく、本発明はこれに限定されない。
【００２７】
好ましくは、前記ブロードキャストメッセージはＳＩＢメッセージである。ネットワーク装置は従来技術におけるＳＩＢメッセージに情報エレメント（Ｉｎｆｏｒｍａｔｉｏｎ  Ｅｌｅｍｅｎｔ、「ＩＥ」と略称）を追加することでＳＩＢメッセージに構成情報が含まれることを実現することができる。例えば、従来のＳＩＢ１又はＳＩＢ３／４／５に構成情報に対応するＩＥを追加してもよいし、従来技術におけるＳＩＢメッセージとは異なる新しいＳＩＢメッセージを導入し、新しいＳＩＢメッセージに構成情報に対応するＩＥが含まれてもよい。
【００２８】
また、端末装置が接続状態にある場合、前記端末装置はネットワーク装置から送信された無線リソース制御（Ｒａｄｉｏ  Ｒｅｓｏｕｒｃｅ  Ｃｏｎｔｒｏ、「ＲＲＣ」と略称）接続解放メッセージを受信することができ、前記ＲＲＣ接続解放メッセージが前記構成情報を含み、且つ端末装置が前記ＲＲＣ接続解放メッセージを受信した場合、ＲＲＣ接続を解放し、前記端末装置の状態は接続状態からアイドル状態になり、その後アイドル状態にある該端末装置は受信された前記構成情報の構成に基づいて許可不要の周波数帯のチャネルを測定する。このような実施形態において、前記構成情報がチャネル測定に関連するパラメータ情報、例えば周波数ポイント情報、測定周期情報などのみを含む場合、ネットワーク装置はさらに前記端末装置へネットワーク装置がライセンス支援アクセス（Ｌｉｃｅｎｓｅ  Ａｓｓｉｓｔｅｄ  Ａｃｃｅｓｓ、「ＬＡＡ」と略称）機能及び／又はＬＴＥ／ＷｉＦｉアグリゲーション機能をサポートするかどうかを示すネットワーク機能情報を送信する必要がある。
【００２９】
本発明の実施例において、また、前記構成情報は、前記ネットワーク装置がライセンス支援アクセスＬＡＡ機能及び／又は長期進化型ＬＴＥとワイヤレスフィデリティＷｉＦｉアグリゲーション機能をサポートすることを示すことに用いられる。即ち、ネットワーク装置から送信された構成情報が前記ネットワーク装置の機能のみを示すと、前記ネットワーク装置がＬＡＡ機能及び／又はＬＴＥ／ＷｉＦｉアグリゲーション機能をサポートする時に、端末装置は自体が保存したデフォルト構成に基づいて許可不要の周波数帯のチャネルを測定することができ、端末装置自体が保存したデフォルト構成は端末装置が実現に基づいて構成した周波数ポイント情報、測定周期情報と測定パラメータ情報などを含むことができ、例えば端末装置が自体に基づいて測定すべき許可不要の周波数帯が５．８ＧＨｚで、測定周期が数秒で、測定ウィンドウが数ミリ秒であることを判定するが、チャネル測定を行う時に自体が保存したデフォルト構成に基づいて実際に測定された許可不要の周波数帯が５．１ＧＨｚで、測定周期が数秒で、測定ウィンドウが数ミリ秒である。
【００３０】
また、Ｓ１１０において、前記構成情報は、前記許可不要の周波数帯のチャネルの周波数ポイント情報、測定周期情報、測定ウィンドウ情報と測定パラメータ情報のうちの少なくとも一つを含む。
【００３１】
具体的には、端末装置は前記構成情報における測定周期に基づいて前記構成情報に示された周波数ポイントにおいて測定ウィンドウで測定パラメータに対して対応する測定を行い、且つ測定結果を記録し、端末装置は一回の測定を完了した後、新しい測定結果を使用して元の測定結果をカバーすることができる。
【００３２】
また、前記測定周期情報に示された測定周期は同じであってもよいし、異なってもよく、且つ毎回の測定又は各測定周期に対応する測定ウィンドウは同じであってもよく、異なってもよい。即ち、各測定周期は一つの変化可能な測定ウィンドウを含むことができ、例えば測定周期はサービスの優先順位又はチャネル負荷状況に応じて設定されてもよく、サービスの優先順位が高い又は負荷が小さいと、測定周期は小さく設定されてもよく、サービスの優先順位が低い又は負荷が大きいと、測定周期は大きく設定されてもよい。測定ウィンドウは類似のルールに従って配置されてもよく、端末装置のこの前の測定結果状況が明確であり、例えば受信信号強度インジケータ（Ｒｅｃｅｉｖｅｄ  Ｓｉｇｎａｌ  Ｓｔｒｅｎｇｔｈ  Ｉｎｄｉｃａｔｏｒ、「ＲＳＳＩ」と略称）が閾値よりもはるかに高い又は低い場合、端末装置は短い測定ウィンドウを使用することができ、端末装置のこの前の測定結果状況が良くない場合、即ちチャネルが複雑であり、例えばＲＳＳＩが閾値に近いと、測定ウィンドウは対応する拡張を行うことができる。
【００３３】
また、前記測定パラメータ情報は、基準信号電力（Ｒｅｆｅｒｅｎｃｅ  Ｓｉｇｎａｌ  Ｒｅｃｅｉｖｉｎｇ  Ｐｏｗｅｒ、「ＲＳＲＰ」と略称）、基準信号品質（Ｒｅｆｅｒｅｎｃｅ  Ｓｉｇｎａｌ  Ｒｅｃｅｉｖｉｎｇ  Ｑｕａｌｉｔｙ、「ＲＳＲＱ」と略称）と受信信号強度インジケータＲＳＳＩのうちの少なくとも一つを含む。しかし、本発明はこれに限定されない。
【００３４】
また、端末装置は測定を完了した後に、測定結果をネットワーク装置に直接報告してもよいし、自体に測定結果が保存されたという情報をネットワーク装置に通知してからネットワーク装置が端末装置による測定結果の報告を必要とする時に測定結果を報告してもよい。
【００３５】
本発明の実施例において、また、端末装置はネットワーク装置とＲＲＣ接続を確立する過程に、専用シグナリングを介して前記ネットワーク装置測定結果を送信することができ、例えば、端末装置は前記ネットワーク装置へＲＲＣ接続リクエストメッセージ又はＲＲＣ接続確立完了メッセージを送信することができ、前記ＲＲＣ接続確立リクエストメッセージ又は前記ＲＲＣ接続確立完了メッセージが測定結果を含む。
【００３６】
本発明の実施例において、また、端末装置は専用シグナリングを介して自体に測定結果が保存されたという情報をネットワークに通知することができ、例えば、図３に示すように、Ｓ１２０は具体的に、
前記ネットワーク装置へ前記端末装置に前記測定結果が保存されたことを示すための第一の指示情報を送信するＳ１２１と、
前記ネットワーク装置から送信された第二の指示情報を受信し、前記第二の指示情報が前記測定結果を報告するように前記端末装置に指示することに用いられるＳ１２２と、
前記第二の指示情報に基づいて前記ネットワーク装置へ前記測定結果を送信するＳ１２３とを含むことができる。
【００３７】
具体的には、端末装置は前記第一の指示情報をネットワーク装置へ送信されるＲＲＣ接続確立リクエストメッセージに含ませることができ、ネットワーク装置はＲＲＣ接続確立リクエストメッセージを受信した後に端末装置に許可不要の周波数帯のチャネルの測定結果が保存されたことを知ることができ、ネットワーク装置が端末装置による前記測定結果の報告を必要とする場合、前記測定結果を報告するように前記端末装置に指示するための指示メッセージを端末装置へ送信されるＲＲＣ接続確立メッセージに含ませ、端末装置は前記測定結果をネットワーク装置へ送信されるＲＲＣ接続確立完了メッセージに含ませることができる。
【００３８】
端末装置が自体に前記測定結果が保存されたことを示すための前記第一の指示情報をＲＲＣ接続確立リクエストメッセージに含ませない場合、端末装置は自体に前記測定結果が保存されたことを示すための前記第一の指示情報をＲＲＣ接続確立完了メッセージに含ませることができ、ＲＲＣ接続確立が完了された後、ネットワーク装置は前記測定結果を報告するように前記端末装置に指示するための指示情報をＲＲＣ再構成メッセージ又は端末装置の特定（又は端末装置専用の）メッセージに含ませることができ、その後端末装置は前記測定結果をネットワーク装置へ送信されるＲＲＣ再構成完了メッセージ又は端末装置の特定メッセージに含ませることができる。
【００３９】
また、Ｓ１２１は具体的に前記ネットワーク装置へＲＲＣ接続確立リクエストメッセージを送信することであってもよく、前記ＲＲＣ接続確立リクエストメッセージが前記第一の指示メッセージを含み、これに対応して、Ｓ１２２は前記ネットワーク装置から送信されたＲＲＣ接続確立メッセージを受信することであり、前記ＲＲＣ接続確立メッセージが前記第二の指示メッセージを含み、Ｓ１２３は前記ネットワーク装置へＲＲＣ接続確立完了メッセージを送信することであり、前記ＲＲＣ接続確立完了メッセージが前記測定結果を含む。
【００４０】
また、Ｓ１２１は具体的に前記ネットワーク装置へＲＲＣ接続確立完了メッセージを送信することであってもよく、前記ＲＲＣ接続確立完了メッセージが前記第一の指示情報を含み、これに対応して、Ｓ１２２は前記ネットワーク装置から送信されたＲＲＣ再構成メッセージを受信することであり、前記ＲＲＣ再構成メッセージが前記第二の指示情報を含み、Ｓ１２３は前記ネットワーク装置へＲＲＣ再構成完了メッセージを送信することであり、前記ＲＲＣ再構成完了メッセージが前記測定結果を含む。
【００４１】
また、Ｓ１２２において、ネットワーク装置から端末装置に送信された前記第二の指示情報が端末装置の特定メッセージに含まれ、これに対応して、Ｓ１２３において、端末装置は前記ネットワーク装置へ端末装置専用メッセージを送信することができ、前記端末装置専用メッセージが前記測定結果を含む。又は、端末装置は接続状態に入った後に、端末装置専用メッセージによってネットワーク装置と通信することができ、端末装置は自体に測定結果が保存されたことを示すための指示情報又は測定結果をこれらの端末装置専用メッセージに含ませてネットワーク装置に送信することができる。例えば、前記端末装置専用メッセージは許可不要の周波数帯の測定報告メッセージであってもよいが、本発明の保護範囲はこの名称に限定されない。本発明の実施例において、また、端末装置はサービス要求に応じてＬＡＡセカンダリーキャリア構成又はＷｉＦｉセカンダリーキャリア構成を必要とするかどうかを確定することができ、ＬＡＡセカンダリーキャリア構成又はＷｉＦｉセカンダリーキャリア構成を必要とする場合、前記ネットワーク装置へ前記測定結果を送信する。
【００４２】
即ち、端末装置はユーザニューズに応じて、測定結果をネットワーク装置に報告する必要があるかどうかを確定することができる。端末装置において許可不要の周波数帯伝送に適するサービスが発生しない場合、端末装置は測定結果を報告しないことを選択することができ、端末装置において許可不要の周波数帯伝送に適するサービス（例えばファイル伝送プロトコル（Ｆｉｌｅ  Ｔｒａｎｓｆｅｒ  Ｐｒｏｔｏｃｏｌ、「ＦＰＴ」と略称）サービス）が発生した場合、端末装置はネットワーク装置へ測定結果を送信する必要があることを確定し、この場合、端末装置は測定結果をネットワーク装置に直接報告してもよいし、まず自体に測定結果が保存されたという情報をネットワーク装置に通知し、ネットワーク装置から送信された、測定結果を送信するように端末に指示するためのメッセージを受信した後、前記ネットワーク装置へ測定結果を送信してもよい。
【００４３】
これにより、ネットワーク装置は端末装置から送信された測定結果を受信した後に、サービス要求に応じて前記端末装置を前記許可不要の周波数帯のセカンダリーキャリアをＬＡＡ又はＷｉＦｉで使用するように構成する。
【００４４】
以下に具体的な実施例を組み合わせながら本発明の実施例による無線通信方法を詳しく説明し、注意すべきものとして、これらの例は当業者が本発明の実施例をより良く理解することを助けるためのものだけであり、本発明の実施例の範囲を制限しない。
【００４５】
図４は本発明の別の実施例によるチャネル測定と測定結果方法の概略的なフローチャートであり、図４に示すように、前記方法２００は以下のステップを含む。
【００４６】
Ｓ２０１において、基地局ｅＮＢはアイドル状態にある端末装置ＵＥへシステム情報構成メッセージを送信し、
前記システム情報構成メッセージは測定構成情報及び／又はネットワーク機能情報を含むことができ、前記測定構成情報は許可不要の周波数帯のチャネルの周波数ポイント情報、測定周期、測定ウィンドウ、測定パラメータなどの情報を含むことができ、前記ネットワーク機能情報はｅＮＢがＬＡＡ機能及び／又はＬＴＥとＷｉＦｉアグリゲーション機能をサポートするかどうかを示すことに用いられる。ＵＥは受信されたシステム情報構成メッセージに基づいて許可不要の周波数帯を測定する。
【００４７】
Ｓ２０２、ＵＥはｅＮＢへＲＲＣ接続確立リクエストメッセージを送信し、
前記ＲＲＣ接続確立リクエストメッセージはＵＥ自体に測定結果が保存されたことを示すための指示情報を含むことができる。
【００４８】
Ｓ２０３、ｅＮＢはＵＥへＲＲＣ接続確立メッセージを送信し、
Ｓ２０４、ＵＥはｅＮＢへＲＲＣ接続確立完了メッセージを送信し、
ＵＥがＳ２０２において自体に測定結果が保存されたことを示すための指示メッセージをｅＮＢへ送信されるＲＲＣ接続確立リクエストメッセージに含ませない場合、ＵＥは前記ＲＲＣ接続確立完了メッセージに、自体に測定結果が保存されたことを示すための指示メッセージを追加することができ、又はＵＥは測定結果を前記ＲＲＣ接続確立リクエストメッセージ又はＲＲＣ接続確立完了メッセージに付けてｅＮＢに直接報告する。
【００４９】
ＵＥがｅＮＢとＲＲＣ接続を確立した場合、前記方法２００は、
ｅＮＢがＵＥへＲＲＣ再構成メッセージを送信するＳ２０５と、
ＵＥがｅＮＢへＲＲＣ再構成完了メッセージを送信するＳ２０６とをさらに含むことができ、
前記ＲＲＣ再構成完了メッセージは自体に測定結果が保存されたことを示すための指示情報又は測定結果を含むことができる。
【００５０】
図５は本発明の別の実施例によるチャネル測定と測定結果報告の方法の概略的なフローチャートであり、図５に示すように、前記方法３００は以下のステップを含む。
【００５１】
Ｓ３０１において、接続状態にあるＵＥはｅＮＢから送信されたＲＲＣ接続解放などの専用シグナリングを受信し、
前記専用シグナリングに測定構成情報が含まれ、且つ接続状態にあるＵＥは前記専用シグナリングを受信した後、ＲＲＣ接続を解放し、状態が接続状態からアイドル状態になる。
【００５２】
Ｓ３０２において、アイドル状態にあるＵＥはｅＮＢから送信されたシステム情報構成メッセージを受信し、
前記システム情報構成メッセージがネットワーク機能指示情報を含む。
【００５３】
Ｓ３０３において、アイドル状態にあるＵＥはｅＮＢへＲＲＣ接続確立リクエストメッセージを送信し、
Ｓ３０４において、ｅＮＢはアイドル状態にあるＵＥへＲＲＣ接続確立メッセージを送信し、
Ｓ３０５において、接続状態にあるＵＥはｅＮＢへＲＲＣ接続確立完了メッセージを送信し、
ＵＥがｅＮＢへＲＲＣ接続確立完了メッセージを送信した後、ＵＥはｅＮＢとＲＲＣ接続を確立し、この時のＵＥの状態はアイドル状態から接続状態になる。
【００５４】
Ｓ３０６、接続状態にあるＵＥはｅＮＢから送信されたＲＲＣ再構成メッセージを受信し、
Ｓ３０７、接続状態にあるＵＥはｅＮＢへＲＲＣ再構成完了メッセージを送信する。
【００５５】
理解すべきものとして、方法３００におけるメッセージに含まれる情報は方法２００における関連情報に含まれる情報と同じであってもよく、簡単にするために、ここでは説明を省略する。
【００５６】
理解すべきものとして、方法３００はＳ３０２を含めないことができ、この場合にネットワーク機能情報はＳ３０１において送信される前記専用シグナリングに含まれることができる。
【００５７】
したがって、本発明の実施例において、アイドル状態にある端末装置は構成情報に基づいて許可不要の周波数帯のチャネルを測定し、且つ測定結果をネットワーク装置に報告する。これにより、ネットワーク装置が前記許可不要の周波数帯のチャネルを前記端末装置のセカンダリーキャリアとして構成する必要がある場合、端末装置とネットワーク装置との相互のシグナリングの数を減少し、シグナリングオーバーヘッドを削減させ、許可不要の周波数帯のチャネルのキャリアのアクセス速度とアクセス効率を向上させることができる。
【００５８】
図１〜図５を組み合わせて端末装置側から本発明の実施例によるチャネル測定と測定結果報告の方法を詳しく説明し、以下に図６〜図８を組み合わせてネットワーク装置側から本発明の別の実施例によるチャネル測定と測定結果報告の方法を詳しく説明し、理解すべきものとして、端末装置側から説明されたネットワーク装置と端末装置のインタラクション及び関連特性、機能などは基地局側からの説明に対応し、簡単にするために、適切に繰り返し説明を省略する。
【００５９】
図６は本発明の別の実施例によるチャネル測定と測定結果報告の方法の概略的なフローチャートである。該方法はネットワーク側によって実行されてもよく、図６に示すように、前記方法４００は、
ネットワーク装置が端末装置へ構成情報を送信するＳ４１０と、
前記ネットワーク装置が、前記端末装置がアイドル状態にある時に前記構成情報に基づいて許可不要の周波数帯のチャネルを測定した測定結果を受信するＳ４２０とを含む。
【００６０】
したがって、本発明の実施例において、ネットワーク装置は端末装置へ構成情報を送信し、且つ端末装置がアイドル状態にある時に前記構成情報に基づいて許可不要の周波数帯のチャネルを測定した測定結果を受信し、端末装置がアイドル状態にある時に許可不要の周波数帯のチャネルを測定することができるため、ネットワーク装置が前記許可不要の周波数帯のチャネルを前記端末装置のセカンダリーキャリアとして構成する必要がある場合、端末装置とネットワーク装置との相互のシグナリングの数を減少し、シグナリングオーバーヘッドを削減させ、許可不要の周波数帯のチャネルのキャリアへのアクセス速度とアクセス効率を向上させることができる。
【００６１】
また、Ｓ４１０は前記端末装置へブロードキャストメッセージを送信することであってもよく、前記ブロードキャストメッセージが前記構成情報を含む。
【００６２】
また、Ｓ４１０において、前記ブロードキャストメッセージはシステム情報ブロックＳＩＢメッセージである。
【００６３】
また、Ｓ４１０は前記端末装置へ無線リソース制御ＲＲＣ接続解放メッセージを送信することであってもよく、前記ＲＲＣ接続解放メッセージが前記構成情報を含む。
【００６４】
また、Ｓ４１０において、前記構成情報は前記ネットワーク装置がライセンス支援アクセスＬＡＡ機能及び／又は長期進化型ＬＴＥとワイヤレスフィデリティＷｉＦｉアグリゲーション機能をサポートすることを示すことに用いられる。
【００６５】
また、Ｓ４１０において、前記構成情報は、前記許可不要の周波数帯のチャネルの周波数ポイント情報、測定周期情報、測定ウィンドウ情報と測定パラメータ情報のうちの少なくとも一つを含む。
【００６６】
本発明の実施例において、また、前記測定パラメータ情報は、基準信号電力ＲＳＲＰ、基準信号品質ＲＳＲＱと受信信号強度インジケータＲＳＳＩのうちの少なくとも一つを含む。
【００６７】
また、Ｓ４２０は前記端末装置から送信されたＲＲＣ接続確立リクエストメッセージ又はＲＲＣ接続確立完了メッセージを受信することであってもよく、前記ＲＲＣ接続確立完了メッセージが前記測定結果を含む。
【００６８】
また、図７に示すように、Ｓ４２０は、
前記端末装置から送信された、前記端末装置に前記測定結果が保存されたことを示すための第一の指示情報を受信するＳ４２１と、
前記端末装置へ第二の指示情報を送信し、前記第二の指示情報が前記測定結果を報告するように前記端末装置に指示することに用いられるＳ４２２と、
前記端末装置が前記第二の指示情報に基づいて送信した前記測定結果を受信するＳ４２３とを含む。
【００６９】
また、Ｓ４２１は前記端末装置から送信されたＲＲＣ接続確立リクエストメッセージを受信することであってもよく、前記ＲＲＣ接続確立リクエストメッセージが前記第一の指示情報を含み、
これに対応して、Ｓ４２２は前記端末装置へＲＲＣ接続確立メッセージを送信することであり、前記ＲＲＣ接続確立メッセージが前記第二の指示情報を含み、
Ｓ４２３は前記端末装置から送信されたＲＲＣ接続確立完了メッセージを受信することであり、前記ＲＲＣ接続確立完了メッセージが前記測定結果を含む。
【００７０】
また、前記Ｓ４２１は前記端末装置から送信されたＲＲＣ接続確立完了メッセージを受信することであってもよく、前記ＲＲＣ接続確立完了メッセージが前記第一の指示情報を含み、
これに対応して、Ｓ４２２は前記端末装置へＲＲＣ再構成メッセージを送信することであり、前記ＲＲＣ再構成メッセージが前記第二の指示情報を含み、
Ｓ４２３は前記端末装置から送信されたＲＲＣ再構成完了メッセージを受信することであり、前記ＲＲＣ再構成完了メッセージが前記測定結果を含む。
【００７１】
また、Ｓ４２３は前記端末装置から送信された端末装置専用メッセージを受信することであってもよく、前記端末装置専用メッセージが前記測定結果を含む。
【００７２】
また、図８に示すように、前記方法４００は、
前記ネットワーク装置が前記測定結果とサービス要求に応じて、前記許可不要の周波数帯のチャネルのうちの一つ又は複数のチャネルをＬＡＡセカンダリーキャリア又はＷｉＦｉセカンダリーキャリアとして構成するＳ４３０をさらに含む。
【００７３】
したがって、本発明の実施例において、ネットワーク装置は端末装置へ構成情報を送信し、且つ端末装置がアイドル状態にある時に前記構成情報に基づいて許可不要の周波数帯のチャネルを測定した測定結果を受信し、端末装置がアイドル状態にある時に許可不要の周波数帯のチャネルを測定することができるため、ネットワーク装置が前記許可不要の周波数帯のチャネルを前記端末装置のセカンダリーキャリアとして構成する必要がある場合、端末装置とネットワーク装置との相互のシグナリングの数を減少し、シグナリングオーバーヘッドを削減させ、許可不要の周波数帯のチャネルのキャリアへのアクセス速度とアクセス効率を向上させることができる。
【００７４】
図９は本発明の実施例による端末装置の概略的なブロック図であり、図９に示すように、前記端末装置１０は、
構成情報に基づいて許可不要の周波数帯のチャネルを測定するように構成され、前記端末装置がアイドル状態にある処理モジュール１１と、
ネットワーク装置へ前記許可不要の周波数帯のチャネルを測定した測定結果を送信するように構成される送受信モジュール１２とを含む。
【００７５】
したがって、本発明の実施例において、アイドル状態にある端末装置は構成情報に基づいて許可不要の周波数帯のチャネルを測定し、測定結果をネットワーク装置に報告する。したがって、ネットワーク装置が前記許可不要の周波数帯のチャネルを前記端末装置のセカンダリーキャリアとして構成する必要がある場合、端末装置とネットワーク装置との相互のシグナリングの数を減少し、シグナリングオーバーヘッドを削減させ、許可不要の周波数帯のチャネルのキャリアへのアクセス速度とアクセス効率を向上させることができる。
【００７６】
本発明の実施例において、また、前記送受信モジュール１２はさらに前記ネットワーク装置から送信された前記構成情報を受信するように構成され、
ここで、前記処理モジュール１１は具体的に前記送受信モジュール１２によって受信された前記ネットワーク装置からの前記構成情報に基づいて前記許可不要の周波数帯のチャネルを測定するように構成される。
【００７７】
本発明の実施例において、また、前記送受信モジュール１２は具体的に前記ネットワーク装置から送信されたブロードキャストメッセージを受信するように構成され、前記ブロードキャストメッセージが前記構成情報を含む。
【００７８】
本発明の実施例において、また、前記ブロードキャストメッセージはシステム情報ブロックＳＩＢメッセージである。
【００７９】
本発明の実施例において、また、前記送受信モジュール１２は具体的に前記ネットワーク装置から送信された無線リソース制御ＲＲＣ接続解放メッセージを受信するように構成され、前記ＲＲＣ接続解放メッセージが前記構成情報を含み、
ここで、前記処理モジュール１１はさらに前記ＲＲＣ接続解放メッセージに基づき、ＲＲＣ接続を解放するように構成される。
【００８０】
本発明の実施例において、また、前記構成情報は前記ネットワーク装置がライセンス支援アクセスＬＡＡ機能、及び／又は、長期進化型ＬＴＥとワイヤレスフィデリティＷｉＦｉアグリゲーション機能をサポートすることを示すことに用いられる。
【００８１】
本発明の実施例において、また、前記構成情報は、前記許可不要の周波数帯のチャネルの周波数ポイント情報、測定周期情報、測定ウィンドウ情報と測定パラメータ情報のうちの少なくとも一つを含む。
【００８２】
本発明の実施例において、また、前記測定パラメータ情報は、基準信号電力ＲＳＲＰ、基準信号品質ＲＳＲＱと受信信号強度インジケータＲＳＳＩのうちの少なくとも一つを含む。
【００８３】
本発明の実施例において、また、前記送受信モジュール１２は具体的に前記ネットワーク装置へＲＲＣ接続確立リクエストメッセージ又はＲＲＣ接続確立完了メッセージを送信するように構成され、前記ＲＲＣ接続確立リクエストメッセージ又は前記ＲＲＣ接続確立完了メッセージが前記測定結果を含む。
【００８４】
本発明の実施例において、また、前記送受信モジュール１２は具体的に、
前記ネットワーク装置へ前記端末装置に前記測定結果が保存されたことを示すための第一の指示情報を送信し、
前記ネットワーク装置から送信された第二の指示情報を受信し、前記第二の指示情報が前記測定結果を報告するように前記端末装置に指示することに用いられ、
前記第二の指示情報に基づいて前記ネットワーク装置へ前記測定結果を送信するように構成される。
【００８５】
本発明の実施例において、また、前記送受信モジュール１２は具体的に、
前記ネットワーク装置へＲＲＣ接続確立リクエストメッセージを送信し、前記ＲＲＣ接続確立リクエストメッセージが前記第一の指示情報を含み、
前記ネットワーク装置から送信されたＲＲＣ接続確立メッセージを受信し、前記ＲＲＣ接続確立メッセージが前記第二の指示情報を含み、
前記ネットワーク装置へＲＲＣ接続確立完了メッセージを送信し、前記ＲＲＣ接続確立完了メッセージが前記測定結果を含むするように構成される。
【００８６】
本発明の実施例において、また、前記送受信モジュール１２は具体的に、
前記ネットワーク装置へＲＲＣ接続確立完了メッセージを送信し、前記ＲＲＣ接続確立完了メッセージが前記第一の指示情報を含み、
前記ネットワーク装置から送信されたＲＲＣ再構成メッセージを受信し、前記ＲＲＣ再構成メッセージが前記第二の指示情報を含み、
前記ネットワーク装置へＲＲＣ再構成完了メッセージを送信し、前記ＲＲＣ再構成完了メッセージが前記測定結果を含むように構成される。
【００８７】
本発明の実施例において、また、前記送受信モジュール１２は具体的に、
前記ネットワーク装置へ端末装置専用メッセージを送信するように構成され、前記端末装置専用メッセージが前記測定結果を含む。
【００８８】
本発明の実施例において、また、前記処理モジュール１１はさらに、
サービス要求に応じてＬＡＡセカンダリーキャリア構成又はＷｉＦｉセカンダリーキャリア構成を必要とするかどうかを確定するように構成され、
ここで、前記送受信モジュール１２は具体的に、
前記処理モジュール１１がＬＡＡセカンダリーキャリア構成又はＷｉＦｉセカンダリーキャリア構成を必要とすることを確定した場合、前記ネットワーク装置へ前記測定結果を送信するように構成される。
【００８９】
したがって、本発明の実施例において、アイドル状態にある端末装置は構成情報に基づいて許可不要の周波数帯のチャネルを測定し、且つ測定結果をネットワーク装置に報告する。したがって、ネットワーク装置が前記許可不要の周波数帯のチャネルを前記端末装置のセカンダリーキャリアとして構成する必要がある場合、端末装置とネットワーク装置との相互のシグナリングの数を減少し、シグナリングオーバーヘッドを削減させ、許可不要の周波数帯のチャネルのキャリアへのアクセス速度とアクセス効率を向上させることができる。
【００９０】
注意すべきものとして、本発明の実施例において、処理モジュール１１はプロセッサによって実現されてもよく、送受信モジュール１２は受信機と送信機によって実現されてもよい。図１０に示すように、端末装置１００はプロセッサ１０１、受信機１０２、送信機１０３とメモリ１０４を含むことができる。その中、メモリ１０４はプロセッサ１０１で実行されるコードなどを記憶するように構成されてもよい。
【００９１】
端末装置１００における各部材はバスシステム１０５を介して結合され、バスシステム１０５はデータバスに加えて、電源バス、制御バスと状態信号バスを含む。
【００９２】
図９に示す端末装置１０又は図１０に示す端末装置１００は前記図１〜図３における方法の実施例において実現された様々なプロセスを実現することができ、重複を回避するために、ここでは説明を省略する。
【００９３】
図１１は本発明の実施例におけるネットワーク装置の概略的なブロック図である。図１１に示すように、ネットワーク装置２０は、
端末装置へ構成情報を送信するように構成される送信モジュール２１と、
前記端末装置がアイドル状態にある時に前記構成情報に基づいて許可不要の周波数帯のチャネルを測定した測定結果を受信するように構成される受信モジュール２２とを含む。
【００９４】
したがって、本発明の実施例において、ネットワーク装置は端末装置へ構成情報を送信し、且つ端末装置がアイドル状態にある時に前記構成情報に基づいて許可不要の周波数帯のチャネルを測定した測定結果を受信し、端末装置がアイドル状態にある時に許可不要の周波数帯のチャネルを測定することができるため、ネットワーク装置が前記許可不要の周波数帯のチャネルを前記端末装置のセカンダリーキャリアとして構成する必要がある場合、端末装置とネットワーク装置との相互のシグナリングの数を減少し、シグナリングオーバーヘッドを削減させ、許可不要の周波数帯のチャネルのキャリアへのアクセス速度とアクセス効率を向上させることができる。
【００９５】
本発明の実施例において、また、前記送信モジュール２１は具体的に前記端末装置へブロードキャストメッセージを送信するように構成され、前記ブロードキャストメッセージが前記構成情報を含む。
【００９６】
本発明の実施例において、また、前記ブロードキャストメッセージはシステム情報ブロックＳＩＢメッセージである。
【００９７】
本発明の実施例において、また、前記送信モジュール２１は具体的に前記端末装置へ無線リソース制御ＲＲＣ接続解放メッセージを送信するように構成され、前記ＲＲＣ接続解放メッセージが前記構成情報を含む。
【００９８】
本発明の実施例において、また、前記構成情報は前記ネットワーク装置がライセンス支援アクセスＬＡＡ機能及び／又は長期進化型ＬＴＥとワイヤレスフィデリティＷｉＦｉアグリゲーション機能をサポートすることを示すことに用いられる。
【００９９】
本発明の実施例において、また、前記構成情報は、前記許可不要の周波数帯のチャネルの周波数ポイント情報、測定周期情報、測定ウィンドウ情報と測定パラメータ情報のうちの少なくとも一つを含む。
【０１００】
本発明の実施例において、また、前記測定パラメータ情報は、基準信号電力ＲＳＲＰ、基準信号品質ＲＳＲＱと受信信号強度インジケータＲＳＳＩのうちの少なくとも一つを含む。
【０１０１】
本発明の実施例において、また、前記受信モジュール２２は具体的に前記端末装置から送信されたＲＲＣ接続確立リクエストメッセージ又はＲＲＣ接続確立完了メッセージを受信するように構成され、前記ＲＲＣ接続確立リクエストメッセージ又は前記ＲＲＣ接続確立完了メッセージが前記測定結果を含む。
【０１０２】
本発明の実施例において、また、前記受信モジュール２２は具体的に前記端末装置から送信された、前記端末装置に前記測定結果が保存されたことを示すための第一の指示情報を受信するように構成され、
前記送信モジュール２１はさらに前記端末装置へ第二の指示情報を送信するように構成され、前記第二の指示情報が前記測定結果を報告するように前記端末装置に指示することに用いられ、
前記受信モジュール２２はさらに具体的に前記端末装置が前記第二の指示情報に基づいて送信した前記測定結果を受信するように構成される。
【０１０３】
本発明の実施例において、また、前記受信モジュール２２は具体的に前記端末装置から送信されたＲＲＣ接続確立リクエストメッセージを受信するように構成され、前記ＲＲＣ接続確立リクエストメッセージが前記第一の指示情報を含み、
ここで、前記送信モジュール２１は具体的に前記端末装置へＲＲＣ接続確立メッセージを送信するように構成され、前記ＲＲＣ接続確立メッセージが前記第二の指示メッセージを含み、
ここで、前記受信モジュール２２はさらに具体的に前記端末装置から送信されたＲＲＣ接続確立完了メッセージを受信するように構成され、前記ＲＲＣ接続確立完了メッセージが前記測定結果を含む。
【０１０４】
本発明の実施例において、また、前記受信モジュール２２は具体的に前記端末装置から送信されたＲＲＣ接続確立完了メッセージを受信するように構成され、前記ＲＲＣ接続確立完了メッセージが前記第一の指示情報を含み、
ここで、前記送信モジュール２１は具体的に前記端末装置へＲＲＣ再構成メッセージを送信するように構成され、前記ＲＲＣ再構成メッセージが前記第二の指示情報を含み、
ここで、前記受信モジュール２２はさらに具体的に前記端末装置から送信されたＲＲＣ再構成完了メッセージを受信するように構成され、前記ＲＲＣ再構成完了メッセージが前記測定結果を含む。
【０１０５】
本発明の実施例において、また、前記受信モジュール２２は具体的に前記端末装置から送信された端末装置専用メッセージを受信するように構成され、前記端末装置専用メッセージが前記測定結果を含む。
【０１０６】
本発明の実施例において、また、図１２に示すように、前記ネットワーク装置は、
前記測定結果とサービス要求に応じて、前記許可不要の周波数帯のチャネルのうちの一つ又は複数のチャネルをＬＡＡセカンダリーキャリア又はＷｉＦｉセカンダリーキャリアとして構成するように構成される処理モジュール２３をさらに含む。
【０１０７】
したがって、本発明の実施例において、ネットワーク装置は端末装置へ構成情報を送信し、且つ端末装置がアイドル状態にある時に前記構成情報に基づいて許可不要の周波数帯のチャネルを測定した測定結果を受信し、端末装置がアイドル状態にある時に許可不要の周波数帯のチャネルを測定することができるため、ネットワーク装置が前記許可不要の周波数帯のチャネルを前記端末装置のセカンダリーキャリアとして構成する必要がある場合、端末装置とネットワーク装置との相互のシグナリングの数を減少し、シグナリングオーバーヘッドを削減させ、許可不要の周波数帯のチャネルのキャリアへのアクセス速度とアクセス効率を向上させることができる。
【０１０８】
注意すべきものとして、本発明の実施例において、処理モジュール２３はプロセッサによって実現されてもよく、送信モジュール２１は送信機によって実現されてもよく、受信モジュール２２は受信機によって実現されてもよい。図１３に示すように、ネットワーク装置２００はプロセッサ２０１、受信機２０２、送信機３０３とメモリ２０４を含むことができる。その中、メモリ２０４はプロセッサ２０１で実行されたコードなどを記憶するように構成されてもよい。
【０１０９】
ネットワーク装置２００における各部材はバスシステム２０５を介して結合され、バスシステム２０５はデータバスに加えて、電源バス、制御バスと状態信号バスを含む。
【０１１０】
図１１又は図１２に示すネットワーク装置１０又は図１３に示すネットワーク装置２００は前記図６〜図８における方法の実施例において実現された各プロセスを実現することができ、重複を回避するために、ここでは説明を省略する。
【０１１１】
理解すべきものとして、明細書全体を通じて言及された「一つの実施例」又は「一実施例」は実施例に関連する特定特徴、構造又は特性が本発明の少なくとも一つの実施例に含まれることを意味する。そのため、明細書全体の各々の箇所に出現する「一つの実施例において」又は「一実施例において」は必ずしも同じ実施例を指しない。また、これらの特定の特徴、構造又は特性は任意の適切な方式で一つ又は複数の実施例に組み合わせられてもよい。
【０１１２】
本発明の各実施例において、理解すべきものとして、上記の各プロセスの番号の大きさは実行順番を意味しなく、各プロセスの実行順番はその機能と内部論理で確定されるべきであり、本発明の実施例の実施プロセスに対していかなる限定を構成するべきではない。
【０１１３】
また、本明細書における用語「システム」と「ネットワーク」は本明細書において多くの場合で相互に使用されてもよい。理解すべきものとして、本明細書における用語「及び／又は」は関連オブジェクトを記述する関連関係だけであり、３種類の関係があり得ることを表し、例えばＡ及び／又はＢは、Ａが単独で存在すること、ＡとＢが同時に存在すること、Ｂが単独で存在することの３種類の状況を表すことができる。また、本明細書における文字「／」は一般的に前後関連オブジェクトが「又は」の関係であることを表す。
【０１１４】
本出願が提供する実施例において、理解すべきものとして、「Ａに対するＢ」はＢがＡに関連付けられ、Ａに基づいてＢを確定することができることを表す。しかし、理解すべきものとして、Ａに基づいてＢを確定することはＡのみに基づいてＢを確定することを意味しなく、Ａ及び／又は他の情報に基づいてＢを確定してもよい。
【０１１５】
当業者であれば、本明細書に開示された実施例に記載の各例のユニット及びアルゴリズムステップが電子ハードウェア、コンピュータソフトウェア又は両者の組み合わせで実現されてもよいと理解でき、ハードウェアとソフトウェアの互換性を明確に説明するために、上記の説明において機能に従って各例の構成及びステップを一般的に記述する。これらの機能がハードウェア又はソフトウェアで実行されるかは、技術的解決策の特定応用と設計制約条件に依存する。専門技術者は各特定のアプリケーションに対して異なる方法を使用して説明された機能を実現することができるが、このような実現は本発明の範囲を超えると考えられるべきではない。
【０１１６】
当業者は、説明の便宜および簡略化のために、上述したシステム、装置とユニットの具体的な動作プロセスについて上記方法の実施例における対応するプロセスを参照できるたため、ここでは説明を省略することを明確に理解することができる。
【０１１７】
本出願が提供するいくつかの実施例において、理解すべきものとして、開示されたシステム、装置と方法は他の方式で実現されてもよい。例えば、上述した装置の実施例は例示的だけであり、例えば前記ユニットの区分は論理機能的区分だけであり、実際に実施する時に他の区分方式もあり得て、例えば複数のユニットまたは部材は組み合わせられてもよいまたは別のシステムに統合されてもよく、又はいくつかの特徴は無視されてもよく、又は実行されなくてもよい。また、示されるまたは議論される相互結合又は直接結合又は通信接続はいくつかのインターフェース、装置又はユニットを介する間接的結合又は通信接続であってもよく、電気的、機械的又は他の形態であってもよい。
【０１１８】
分離部材として説明された前記ユニットは物理的に分離するものであってもよくまたは物理的に分離するものでなくてもよく、ユニットとして表示された部材は物理的ユニットであってもよくまたは物理的ユニットでなくてもよく、即ち一つの箇所に位置してもよく、又は複数のネットワークユニットに分布してもよい。実際のニーズに応じてその中の一部または全てのユニットを選択して本実施例の解決策の目的を達成することができる。
【０１１９】
また、本発明の各実施例における各機能ユニットは一つの処理ユニットに統合されてもよく、個々のユニットは単独で物理的に存在してもよく、二つまたは二つ以上のユニットは一つのユニットに統合されてもよい。
【０１２０】
統合されたユニットはソフトウェア機能ユニットの形態で実現され且つ独立した製品として販売または使用される場合，一つのコンピュータ読み取り可能な記憶媒体に格納されてもよい。このような理解に基づき，本発明の技術的解決策は本質的にソフトウェア製品の形態で実現されてもよく、又は従来技術に貢献する部分又は該技術的解決策の部分がソフトウェア製品の形態で実現されてもよく、該コンピュータソフトウェア製品は一台のコンピュータ装置（パーソナルコンピュータ、サーバ、又はネットワーク装置などあってもよい）に本発明の各実施例に記載の方法の全部又は一部のステップを実行させるためのいくつかのコマンドを含む記憶媒体に記憶される。前記記憶媒体はＵディスク、モバイルハードディスク、読み出し専用メモリ（Ｒｅａｄ−Ｏｎｌｙ  Ｍｅｍｏｒｙ、「ＲＯＭ」略称）、ランダムアクセスメモリ（Ｒａｎｄｏｍ  Ａｃｃｅｓｓ  Ｍｅｍｏｒｙ、「ＲＡＭ」略称）、磁気ディスク又は光ディスク等のプログラムコードを記憶できる各種の媒体を含む。
【０１２１】
以上は、本発明の最適的な実施例に過ぎなく、本発明を制限せず、本分野の当業者に対して、本発明が各種類の変更と変化がある。本発明の主旨精神と原則以内に、いかなる改修、同等入れ替わり、改良等が、本発明の保護範囲以内に含まれるべきである。
【図１】
2018532289.tif 000003
【図２】
2018532289.tif 000004
【図３】
2018532289.tif 000005
【図４】
2018532289.tif 000006
【図５】
2018532289.tif 000007
【図６】
2018532289.tif 000008
【図７】
2018532289.tif 000009
【図８】
2018532289.tif 000010
【図９】
2018532289.tif 000011
【図１０】
2018532289.tif 000012
【図１１】
2018532289.tif 000013
【図１２】
2018532289.tif 000014
【図１３】
2018532289.tif 000015
【手続補正書】
【提出日】平成30年3月19日(2018.3.19)
【手続補正２】
【補正対象書類名】特許請求の範囲
【補正対象項目名】全文
【補正方法】変更
【補正の内容】
【特許請求の範囲】
【請求項１】
チャネル測定と測定結果報告の方法であって、
端末装置が構成情報に基づいて許可不要の周波数帯のチャネルを測定し、前記端末装置がアイドル状態にあることと、
前記端末装置がネットワーク装置へ前記許可不要の周波数帯のチャネルを測定した測定結果を送信することとを含む、前記チャネル測定と測定結果報告の方法。
【請求項２】
前記方法は、
前記端末装置が前記ネットワーク装置から送信された前記構成情報を受信することをさらに含み、
前記構成情報は、ブロードキャストメッセージ又は専用シグナリングによって伝送され、
前記構成情報に基づいて許可不要の周波数帯を測定することは、
受信された前記ネットワーク装置からの前記構成情報に基づいて前記許可不要の周波数帯のチャネルを測定することを含むことを特徴とする
請求項１に記載の方法。
【請求項３】
前記ネットワーク装置から送信された前記構成情報を受信することは、
前記ネットワーク装置から送信されたブロードキャストメッセージを受信することを含み、前記ブロードキャストメッセージが前記構成情報を含み、
前記ブロードキャストメッセージはシステム情報ブロックＳＩＢメッセージであることを特徴とする
請求項２に記載の方法。
【請求項４】
前記ネットワーク装置から送信された前記構成情報を受信することは、
前記ネットワーク装置から送信された無線リソース制御ＲＲＣ接続解放メッセージを受信し、前記ＲＲＣ接続解放メッセージが前記構成情報を含むことと、
前記ＲＲＣ接続解放メッセージに基づき、ＲＲＣ接続を解放することとを含むことを特徴とする
請求項２に記載の方法。
【請求項５】
前記構成情報は、前記ネットワーク装置がライセンス支援アクセスＬＡＡ機能及び／又は長期進化型ＬＴＥとワイヤレスフィデリティＷｉＦｉアグリゲーション機能をサポートすることを示すことに用いられることを特徴とする
請求項２〜４のいずれか１項に記載の方法。
【請求項６】
前記構成情報は、前記許可不要の周波数帯のチャネルの周波数ポイント情報、測定周期情報、測定ウィンドウ情報と測定パラメータ情報のうちの少なくとも一つを含み、
前記測定パラメータ情報は、基準信号電力ＲＳＲＰ、基準信号品質ＲＳＲＱと受信信号強度インジケータＲＳＳＩのうちの少なくとも一つを含むことを特徴とする
請求項１〜４のいずれか１項に記載の方法。
【請求項７】
前記ネットワーク装置へ前記許可不要の周波数帯のチャネルを測定した測定結果を送信することは、
前記ネットワーク装置へＲＲＣ接続確立リクエストメッセージ又はＲＲＣ接続確立完了メッセージを送信することを含み、前記ＲＲＣ接続確立リクエストメッセージ又は前記ＲＲＣ接続確立完了メッセージが前記測定結果を含むことを特徴とする
請求項１〜６のいずれか１項に記載の方法。
【請求項８】
前記ネットワーク装置へ前記許可不要の周波数帯のチャネルを測定した測定結果を送信することは、
前記ネットワーク装置へ前記端末装置に前記測定結果が保存されたことを示すための第一の指示情報を送信することと、
前記ネットワーク装置から送信された第二の指示情報を受信し、前記第二の指示情報が前記測定結果を報告するように前記端末装置を指示することに用いられることと、
前記第二の指示情報に基づいて前記ネットワーク装置へ前記測定結果を送信することとを含むことを特徴とする
請求項１〜６のいずれか１項に記載の方法。
【請求項９】
前記ネットワーク装置へ前記端末装置に前記測定結果が保存されたことを示すための第一の指示情報を送信することは、
前記ネットワーク装置へＲＲＣ接続確立リクエストメッセージを送信することを含み、前記ＲＲＣ接続確立リクエストメッセージが前記第一の指示情報を含み、
前記ネットワーク装置から送信された第二の指示情報を受信することは、
前記ネットワーク装置から送信されたＲＲＣ接続確立メッセージを受信することを含み、前記ＲＲＣ接続確立メッセージが前記第二の指示情報を含み、
前記第二の指示情報に基づいて前記ネットワーク装置へ前記測定結果を送信することは、
前記ネットワーク装置へＲＲＣ接続確立完了メッセージを送信することを含み、前記ＲＲＣ接続確立完了メッセージが前記測定結果を含むことを特徴とする
請求項８に記載の方法。
【請求項１０】
前記ネットワーク装置へ前記端末装置に前記測定結果が保存されたことを示すための第一の指示情報を送信することは、
前記ネットワーク装置へＲＲＣ接続確立完了メッセージを送信することを含み、前記ＲＲＣ接続確立完了メッセージが前記第一の指示情報を含み、
前記ネットワーク装置から送信された第二の指示情報を受信することは、
前記ネットワーク装置から送信されたＲＲＣ再構成メッセージを受信することを含み、前記ＲＲＣ再構成メッセージが前記第二の指示情報を含み、
前記第二の指示情報に基づいて前記ネットワーク装置へ前記測定結果を送信することは、
前記ネットワーク装置へＲＲＣ再構成完了メッセージを送信することを含み、前記ＲＲＣ再構成完了メッセージが前記測定結果を含むことを特徴とする
請求項８に記載の方法。
【請求項１１】
前記第二の指示情報に基づいて前記ネットワーク装置へ前記測定結果を送信することは、
前記ネットワーク装置へ端末装置専用メッセージを送信することを含み、前記端末装置専用メッセージが前記測定結果を含むことを特徴とする
請求項８に記載の方法。
【請求項１２】
ネットワーク装置へ前記許可不要の周波数帯のチャネルを測定した測定結果を送信することは、
前記端末装置がサービス要求に応じてＬＡＡセカンダリーキャリア構成又はＷｉＦｉセカンダリーキャリア構成を必要とするかどうかを確定することと、
ＬＡＡセカンダリーキャリア構成又はＷｉＦｉセカンダリーキャリア構成を必要とすることを確定した場合、前記ネットワーク装置へ前記測定結果を送信することとを含むことを特徴とする
請求項１〜１１のいずれか１項に記載の方法。
【請求項１３】
チャネル測定と測定結果報告の方法であって、
ネットワーク装置が端末装置へ構成情報を送信することと、
前記ネットワーク装置が、前記端末装置がアイドル状態にある時に前記構成情報に基づいて許可不要の周波数帯のチャネルを測定した測定結果を受信することとを含む、前記チャネル測定と測定結果報告の方法。
【請求項１４】
端末装置へ構成情報を送信することは、
前記端末装置へブロードキャストメッセージを送信することを含み、前記ブロードキャストメッセージが前記構成情報を含むことを特徴とする
請求項１３に記載の方法。
【請求項１５】
端末装置へ構成情報を送信することは、
前記端末装置へ無線リソース制御ＲＲＣ接続解放メッセージを送信することを含み、前記ＲＲＣ接続解放メッセージが前記構成情報を含むことを特徴とする
請求項１３に記載の方法。
【国際調査報告】
2018532289.tif 000016
2018532289.tif 000017
2018532289.tif 000018
2018532289.tif 000019